(57)【要約】【課題】ネーム文字列を記録媒体に記録するためのユーザーの労力を軽減する。【解決手段】「使用された文字列とその使用回数を記憶すると共に、文字列を設定数記録する記録テーブルを有し、この記録テーブルが、文字列が最新に登録されたものから登録順に並べられた履歴テーブルと、文字列が使用回数の最も多いものから使用回数順に並べられた登録テーブルを有する記憶手段」と、「履歴テーブルに文字列を入力する入力手段」と、「記録テーブルの文字列を選択する選択手段」と、「入力手段により入力された文字列、又は、選択手段により選択された文字列を表示する表示手段」と、「表示手段により表示された文字列を記録媒体に記録させる決定を行う決定手段」を有する。【選択図】  図２
2008004222.tif 000002
【特許請求の範囲】
【請求項１】
記録媒体に対する音響データ及び／又は映像データの記録と読出を行うと共に、この記録媒体に文字列を記録する記録／再生装置において、
Ａ．文字列を設定数記録する記録テーブルを有し、この記録テーブルが、文字列が最新に  登録されたものから登録順に並べられた履歴テーブルと、文字列が使用回数の最も多い  ものから使用回数順に並べられた登録テーブルを有する記憶手段と、
Ｂ．履歴テーブルに文字列を入力する入力手段と、
Ｃ．記録テーブルの文字列を選択する選択手段と、
Ｄ．入力手段により入力された文字列、又は、選択手段により選択された文字列を表示す  る表示手段と、
Ｅ．表示手段により表示された文字列を記録媒体に記録させる決定を行う決定手段
を有する記録／再生装置の文字列の記録装置。
【請求項２】
決定手段により決定された文字列が登録テーブルに含まれないと共にその文字列の使  用回数が登録テーブルの各文字列の使用回数よりも多い場合に、履歴テーブルの最も古  く登録された文字列を消去して、この文字列が記録されていた箇所に、登録テーブルの  使用回数の最も少ない文字列を記録する制御手段
が備えられた請求項１記載の記録／再生装置の文字列の記録装置。
【発明の詳細な説明】
【技術分野】
【０００１】
本発明は、オーディオ・ビジュアル機器（ＡＶ機器）等の記録／再生装置の文字列の記録装置に関する。
【背景技術】
【０００２】
曲を記録できる記録媒体としては、書き込み可能なコンパクトディスク（ＣＤ−Ｒ）、ミニディスク（ＭＤ）、ハイエムディー（Ｈｉ−ＭＤ）、フラッシュメモリ等がある。最近では、このような記録媒体に、例えば、ＭＰ３形式で多数の曲を記録できるようになっており、記録媒体に、タイトル名、グループ名、アーティスト名、アルバム名などのネーム（名称）文字列を記録する機会が増えてきた。
【０００３】
上記記録媒体を使用するオーディオ記録／再生装置の内、パソコンに接続できるものでは、パソコンによる入力により、記録媒体にネーム文字列の記録が可能な場合もあるが、これが不可能な場合には、記録／再生装置側でユーザーがネーム文字列を入力して、記録媒体にネーム文字列を記録する必要があった。
【０００４】
しかし、ユーザーが記録／再生装置により記録媒体にネーム文字列を一々入力するのは面倒である。そこで、例えば、ワープロの単語登録機能（例えば、特許文献１参照）を記録／再生装置に備えて、ユーザーのネーム文字列の記録（入力）の労力を軽減することが考えられる。
【０００５】
しかし、一般的に、ユーザーはある曲に興味を持つと、その曲に関連のある曲を次々と記録／再生装置の記録媒体に記録する傾向がある。それ故、ネーム文字列の記録に関しては、最近記録したネーム文字列や使用回数の多いネーム文字列を再度記録する傾向があり、このような傾向を踏まえたネーム文字列の記録支援機能が記録／再生装置に具備されることをユーザーが要望していたのが実情である。
【０００６】
【特許文献１】特開平９−１６１０１４号公報
【発明の開示】
【発明が解決しようとする課題】
【０００７】
本発明は、文字列を記録媒体に記録するためのユーザーの労力を軽減できる記録／再生装置の文字列の記録装置を提供することを目的とする。
【課題を解決するための手段】
【０００８】
上記目的を達成するために、本発明の特徴とするところは、記録媒体に対する音響データ及び／又は映像データの記録と読出を行うと共に、この記録媒体に文字列を記録する記録／再生装置において、Ａ．文字列を設定数記録する記録テーブルを有し、この記録テーブルが、文字列が最新に登録されたものから登録順に並べられた履歴テーブルと、文字列が使用回数の最も多いものから使用回数順に並べられた登録テーブルを有する記憶手段と、Ｂ．履歴テーブルに文字列を入力する入力手段と、Ｃ．記録テーブルの文字列を選択する選択手段と、Ｄ．入力手段により入力された文字列、又は、選択手段により選択された文字列を表示する表示手段と、Ｅ．表示手段により表示された文字列を記録媒体に記録させる決定を行う決定手段を有する点にある。
尚、決定手段により決定された文字列が登録テーブルに含まれないと共にその文字列の使用回数が登録テーブルの各文字列の使用回数よりも多い場合に、履歴テーブルの最も古く登録された文字列を消去して、この文字列が記録されていた箇所に、登録テーブルの使用回数の最も少ない文字列を記録する制御手段が備えられることもある。
【発明の効果】
【０００９】
本発明によれば、文字列を記録媒体に記録するためのユーザーの労力を軽減できる。
【発明を実施するための最良の形態】
【００１０】
以下、本発明をオーディオ記録／再生装置に適用した実施の形態の一例を図面に基づき説明すると、図１に示すように、記録／再生装置は、記録／再生部（録音／再生部）１と、マイコン（システムコントローラ、制御装置、制御手段）２と、操作部３と、液晶表示部等の表示部４等を有する。
【００１１】
記録／再生部１は、記録媒体に対して音響データの記録と読出を行って、再生時には、音響信号を出力する。又、記録／再生部１は、記録媒体に文字列（文字データ）として例示するネーム文字列の記録を行うと共に、再生時には、これを読み出して、ネーム（名称、名前）文字列信号を出力する。記録媒体としては、例えば、ＣＤ−Ｒ、ＭＤ、Ｈｉ−ＭＤ、フラッシュメモリ、ハードディスク等が使用される。
【００１２】
マイコン２は、記録／再生部１の制御を行うと共に、ネーム文字列の登録、選択及び読出等を行うもので、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有する。
【００１３】
ＲＡＭ又は別途備えられた他の記憶（記録）装置は、図２に示すように、ネーム文字列が設定数記録される記録テーブルを有する。記録テーブルでは、各行に、テーブルナンバーと、ネームの使用回数と、ネーム文字列が記録されている。記録テーブルでは、テーブルナンバー「０」から「第１設定値（ＨＩＳＴＯＲＹ  ＭＡＸ）」までが履歴テーブルとされ、又、テーブルナンバー「第１設定値＋１」から「第２設定値（ＴＡＢＬＥ  ＭＡＸ）」までが、登録テーブルとして、履歴テーブルと登録テーブルが連続して設けられており、例えば、第１設定値が「５」、第２設定値が「２０」とされる。履歴テーブルでは、（原則として）文字列が最新に登録されたものから登録順に並べられ、登録テーブルでは、文字列が使用回数の多いものから使用回数順に並べられている。尚、履歴テーブルのテーブルナンバー「第１設定値」には、下記の「００２６」に記載されているように、登録順ではない文字列が記録される場合もある。ネーム文字列には、通常の文字、既存の各種記号、絵文字、ユーザーが作成した文字等が使用されており、例えば、図２に示す例では、ネーム文字列として、「Ｌｅｔ’ｓ」等が使用されている。記録テーブルに記録されるネーム文字列の文字数は、本例では、１０文字に制限されているが、記録媒体に実際に記録されるネーム文字列の文字数は、実際に入力された文字数と同一にされる場合と、上記のように、１０文字に制限される場合とがある。
【００１４】
操作部３は操作手段として例示されるもので、入力手段として例示され且つ履歴テーブルにネーム文字列を入力する入力部６と、選択手段として例示され且つ記録テーブルのネーム文字列を選択する選択部７と、決定手段として例示され且つ液晶表示部４に表示されたネーム文字列を記録媒体に記録させる決定を行う決定部８を有する。入力部６、選択部７及び決定部８は、文字入力キー、カーソルキー、実行キー、ダイヤル等から成り、これら入力部６、選択部７及び決定部８は、一部共通化されたり、兼用されたりする場合がある。
【００１５】
液晶表示部４は、表示手段として例示されるもので、入力部６により入力されたネーム文字列、又は、選択手段により選択されたネーム文字列を表示する。
【００１６】
次に、記録／再生装置のネーム文字列の記録等の制御のフローチャートについて、図３〜図５に基づき説明する。
【００１７】
まず、ネーム文字列の登録を図３で説明すると、入力部６によりネーム文字列が入力されると、ステップＳ１で、文字数が０でないか、否かが判断される。ＹＥＳであれば、ステップＳ２に移り、ＮＯであれば、終了する。ステップＳ２では、記録テーブルへのネーム文字列の記録が開始され、ステップＳ３に移る。ステップＳ３では、ネーム文字列の文字数が１０以上であるか、否かが判断され、ＮＯであれば、ステップＳ４に移り、ＹＥＳであれば、ステップＳ５に移る。ステップＳ４では、ネーム文字列をＲＡＭ等のバッファに書込んで、ステップＳ６に移る。ステップＳ５では、ネーム文字列の先頭から１０文字をバッファに書込んで、ステップＳ６に移る。
【００１８】
ステップＳ６では、ネーム文字列が登録テーブルに登録されているか、否かが判断される。尚、ステップＳ６では、「Ｘ」は登録するネーム文字列のテーブルナンバーを示し、このテーブルナンバー「Ｘ」を「第２設定値（ＴＡＢＬＥ  ＭＡＸ）」と比較している。ステップＳ６でＮＯであれば、ステップＳ９に移り、ＹＥＳであれば、ステップＳ７に移る。ステップＳ７では、テーブルナンバー「Ｘ」へのネーム文字列の登録が終了したか、否かが判断される。ＹＥＳであれば、制御は終了し、ＮＯであれば、ステップＳ８に移る。ステップＳ８では、テーブルナンバー「Ｘ」に「１」が加算されて、ステップＳ６に戻る。
【００１９】
ステップＳ９では、テーブルナンバー「第１設定値（ＨＩＳＴＯＲＹ  ＭＡＸ）」の使用回数及びネーム文字列をクリアーして、ステップＳ１０に移る。ステップＳ１０では、テーブルナンバー「Ｘ」が「第１設定値（ＨＩＳＴＯＲＹ  ＭＡＸ）」よりも大であるか、否かが判断される。ＹＥＳであれば、ステップＳ１２に移り、ＮＯであれば、ステップＳ１１に移る。ステップＳ１１では、テーブルナンバー「Ｘ」から「１」が減算されて、ステップＳ１０に戻る。ステップＳ１２では、履歴テーブルのテーブルナンバー「０」にネーム文字列が登録される。
【００２０】
次に、ネーム文字列の選択を図４で説明すると、選択部７によりネーム文字列を選択すると、ステップＲ１で、テーブルナンバー「Ｘ」が「第１設定値（ＨＩＳＴＯＲＹ  ＭＡＸ）」以下であるか、否かが判断される。ＹＥＳであれば、ステップＲ２に移り、ＮＯであれば、ステップＲ３に移る。ステップＲ２では、テーブルナンバー「Ｘ」が選択テーブルナンバーとされて、ステップＲ４に移る。ステップＲ３では、テーブルナンバー「Ｘ」が「０」とされて、ステップＲ４に移る。ステップＲ４では、選択テーブルナンバー又はテーブルナンバー「０」のネーム文字列が選択ネーム文字列とされて、液晶表示部４で表示され、ステップＲ５に移る。
【００２１】
ステップＲ５では、選択ネーム文字列が決定されたか、否かが判断される。ＹＥＳであれば、ステップＲ６に移り、ＮＯであれば、ステップＲ７に移る。ステップＲ６では、バッファから選択ネーム文字列が読み出されて、記録媒体に書き込まれる。ステップＲ７では、記録テーブルに記録されたネーム文字列を、テーブルナンバーが増加する方向に見ていくか、否かが判断される（つまり、ユーザにより選択部の選択方向が判断される）。ＹＥＳであれば、ステップＲ８に移り、ＮＯであれば、ステップＲ９に移る。ステップＲ８では、テーブルナンバー「Ｘ」に「１」が加算されて、ステップＲ１に戻る。ステップＲ９では、テーブルナンバー「Ｘ」から「１」が減算されて、ステップＲ１に戻る。
【００２２】
次に、ネーム文字列の読み出しを図５で説明すると、所定のネーム文字列を決定部８で決定すると、ステップＴ１で、記録テーブルにおける、選択ナンバーのネーム文字列の使用回数に「１」が加算されて、ステップＴ２に移る。ステップＴ２では、テーブルナンバー「Ｘ」が「第１設定値（ＨＩＳＴＯＲＹ  ＭＡＸ）」以下であるか、否かが判断される。ＮＯであれば、ステップＴ９に移り、ＹＥＳであれば、ステップＴ３に移る。ステップＴ３では、テーブルナンバー「Ｙ」が「第１設定値（ＨＩＳＴＯＲＹ  ＭＡＸ）」に「１」を加算したものとされて、ステップＴ４に移る。
【００２３】
ステップＴ４では、テーブルナンバー「Ｙ」が「第２設定値（ＴＡＢＬＥ  ＭＡＸ）」以下であるか、否かが判断される。ＮＯであれば、使用回数が登録テーブルの各ネーム文字列の使用回数よりも低いとして、制御が終了する。ＹＥＳであれば、ステップＴ５に移る。ステップＴ５では、テーブルナンバー「Ｘ」のネーム文字列の使用回数がテーブルナンバー「Ｙ」のネーム文字列の使用回数よりも低いか、否かが判断される。ＮＯであれば、ステップＴ７に移り、ＹＥＳであれば、ステップＴ６に移る。ステップＴ６では、テーブルナンバー「Ｙ」に「１」が加算されて、ステップＴ４に戻る。
【００２４】
ステップＴ７では、履歴テーブルの最後のテーブルナンバー、即ち、「第１設定値（ＨＩＳＴＯＲＹ  ＭＡＸ）」のネーム文字列及びその使用回数をクリアーして、その箇所に、登録テーブルの最後のテーブルナンバー、即ち、「第２設定値（ＴＡＢＬＥ  ＭＡＸ）」のネーム文字列及びその使用回数を移動させて、ステップＴ８に移る。ステップＴ８では、テーブルナンバー「Ｙ」以降のネーム文字列及びそれらの使用回数を「第２設定値（ＴＡＢＬＥ  ＭＡＸ）」側に一つ宛順次ずらした後、テーブルナンバー「Ｙ」にテーブルナンバー「Ｘ」のネーム文字列及び使用回数が記録されて、ステップＴ９に移る。ステップＴ９では、登録テーブルに登録されたネーム文字列が使用回数順にバブルソートされる。
【００２５】
以下、具体的に説明すると、記録／再生装置の記録／再生部１により、記録媒体に曲を記録して、ダビングした後、この記録媒体に、曲のタイトル名、グループ名、アーティスト名、アルバム名等を記録する際には、まず、選択部７により、記録テーブルの履歴テーブルと登録テーブルのネーム文字列を液晶表示部４に順次表示させて、これらネーム文字列に、使用したいものがあるか、否かを調べる。使用したいネーム文字列があれば、このネーム文字列が液晶表示部４に表示された際に、決定部８により、そのネーム文字列を使用することを決定する。この決定により、決定されたネーム文字列が記録媒体に記録され、再生時に、上記ネーム文字列が液晶表示部４に表示される。
【００２６】
そして、決定したネーム文字列が登録テーブルにあれば、このネーム文字列の使用回数に「１」が加算されて、登録テーブルが使用回数順にソートされる。又、使用するネーム文字列が登録テーブルにない場合には、このネーム文字列の使用回数に「１」が加算されると共に、その使用回数が登録テーブルのネーム文字列の使用回数と比較される。使用回数が登録テーブルのネーム文字列の使用回数よりも多ければ、まず、履歴テーブルのテーブルナンバー「第１設定値（ＨＩＳＴＯＲＹ  ＭＡＸ）」のネーム文字列及びその使用回数が消去（クリアー）されて、その箇所に、登録テーブルにおける、テーブルナンバー「第２設定値（ＴＡＢＬＥ  ＭＡＸ）」のネーム文字列及び使用回数が記録される。又、登録テーブルにおける、決定したネーム文字列の使用回数よりも使用回数が少ないネーム文字列及びそれらの使用回数が「第２設定値（ＴＡＢＬＥ  ＭＡＸ）」側に一つ宛順次ずらされる。
【００２７】
又、使用するネーム文字列が記録テーブルにない場合には、液晶表示部４に表示させながら、入力部６により、使用するネーム文字列を入力する。これによって、テーブルナンバー「第１設定値（ＨＩＳＴＯＲＹ  ＭＡＸ）」のネーム文字列及びその使用回数が消去された後、履歴テーブルの各行の記載項目が「第１設定値（ＨＩＳＴＯＲＹ  ＭＡＸ）」側に一つ宛順次ずらされる。そして、テーブルナンバー「０」の行に、上記使用するネーム文字列が記録されると共に、その使用回数の欄に「０」が記録される。そして、決定部８により、このネーム文字列を使用することを決定すると、その使用回数に「１」が加算されて、上記「ネーム文字列の使用回数が登録テーブルのネーム文字列の使用回数よりも多い」場合と同様の制御が行われる。
【００２８】
ところで、一般的に、ユーザーはある曲に興味を持つと、その曲に関連のある曲を次々と記録／再生装置の記録媒体に記録する傾向がある。それ故、ネーム文字列の記録に関しては、最近入力したネーム文字列や使用回数の多いネーム文字列を再度記録（入力）する傾向がある。
【００２９】
しかし、上記構成例では、記録テーブルの履歴テーブルに、最近、登録（使用）された文字列が記録され、又、登録テーブルに、過去の使用回数の多いネーム文字列が記録されて、これらネーム文字列を選択部７により選択できるようにして、ユーザーのネーム文字列の記録傾向に合致させているので、ネーム文字列を記録媒体に記録するためのユーザーの労力を軽減できる。
【００３０】
尚、上記実施の形態では、文字列をネーム文字列としたが、その他の内容を示す文字列としてもよい。又、上記実施の形態は、本発明をオーディオ記録／再生装置に適用したものであるが、本発明をオーディオ・ビジュアル記録／再生装置、又は、ビジュアル記録／再生装置に適用してもよい。
【図面の簡単な説明】
【００３１】
【図１】本発明の実施の形態の一例を示すブロック図である。
【図２】本発明の実施の形態の一例を示す記録テーブルの説明図である。
【図３】本発明の実施の形態の一例を示すフローチャートである。
【図４】本発明の実施の形態の一例を示すフローチャートである。
【図５】本発明の実施の形態の一例を示すフローチャートである。
【符号の説明】
【００３２】
１  記録／再生部
２  マイコン
３  操作部
４  液晶表示部（表示手段）
６  入力部（入力手段）
７  選択部（選択手段）
８  決定部（決定手段）
【図１】
2008004222.tif 000003
【図２】
2008004222.tif 000004
【図３】
2008004222.tif 000005
【図４】
2008004222.tif 000006
【図５】
2008004222.tif 000007